(57)【要約】【課題】多量の薬剤を使用することなく、ホウ素を分離でき、簡単な構成で効率的にホウ素を吸着除去可能とするホウ素吸着カートリッジフィルタおよびホウ素処理方法を提供すること。【解決手段】ホウ素を吸着するためのグルカミン固定化布が、処理水を通水する集水管にロール状に巻きつけられて形成された円筒状カートリッジフィルタ１２−１、１２−２と、前記円筒状カートリッジフィルタを収容するためのカートリッジ収納容器１４と、を有し、前記カートリッジ収納容器１４にホウ素を含む被処理水を通水することにより、前記グルカミン固定化布に前記ホウ素を吸着させることを特徴とするホウ素吸着カートリッジフィルタ１０。【選択図】図１
2020104050.tif 000002
【特許請求の範囲】
【請求項１】
ホウ素を吸着するためのグルカミン固定化布が、処理水を通水する集水管にロール状に巻きつけられて形成された円筒状カートリッジフィルタと、
前記円筒状カートリッジフィルタを収容するためのカートリッジ収納容器と、
を有し、
前記カートリッジ収納容器にホウ素を含む被処理水を通水することにより、前記グルカミン固定化布に前記ホウ素を吸着させることを特徴とするホウ素吸着カートリッジフィルタ。
【請求項２】
前記カートリッジ収納容器内における前記グルカミン固定化布の充填密度が、０．４ｋｇ／Ｌ以上であることを特徴とする、請求項１に記載のホウ素吸着カートリッジフィルタ。
【請求項３】
前記円筒状カートリッジフィルタは、前記カートリッジ収納容器内に直列に複数収容され、該カートリッジ収納容器の両端から交互に前記被処理水を前記カートリッジ収納容器内部に供給し、前記円筒状カートリッジフィルタに通水させることを特徴とする請求項１または２に記載のホウ素吸着カートリッジフィルタ。
【請求項４】
前記グルカミン固定化布は、Ｎ−メチル−Ｄ−グルカミンで固定された布であることを特徴とする請求項１〜３のいずれか１項に記載のホウ素吸着カートリッジフィルタ。
【請求項５】
前記Ｎ−メチル−Ｄ−グルカミンが、１．０〜１．９ｍｅｑ／ｇの量で固定された布であることを特徴とする請求項１〜４のいずれか１項に記載のホウ素吸着カートリッジフィルタ。
【請求項６】
前記ホウ素吸着カートリッジフィルタによって吸着除去するホウ素処理方法であって、
前記被処理水を生物処理し、
前記生物処理後の生物処理水を凝集沈澱処理し、
前記凝集沈澱処理後の凝集沈澱処理水をろ過処理し、
前記ろ過処理後のろ過処理水から前記ホウ素吸着カートリッジフィルタを使用してホウ素を吸着除去した処理水を得ることを特徴とする請求項１〜５のいずれか１項に記載のホウ素吸着カートリッジフィルタを用いたホウ素処理方法。
【請求項７】
前記ホウ素を吸着除去した処理水を、更に消毒処理することを特徴とする請求項６に記載のホウ素吸着カートリッジフィルタを用いたホウ素処理方法。
【発明の詳細な説明】
【技術分野】
【０００１】
本発明は、ホウ素を含有する排水を処理する、ホウ素吸着カートリッジフィルタおよびホウ素処理方法に関する。
【背景技術】
【０００２】
ホウ砂、ホウ酸、ホウ酸亜鉛、ホウ酸アンモニウムなどのホウ素化合物は、医薬品、防腐剤、化粧品、熱処理剤、写真、顔料、乾燥剤、ガラス、メッキなど多種の分野で用いられており、これらの製造工程やホウ素化合物を用いた製品の製造工程から排出される排水中にはホウ素が含まれている。
【０００３】
また、原子力発電所から発生する放射性廃液や地熱発電水、石炭火力発電所の排煙脱硫廃水、ごみ焼却洗煙廃水等にもホウ素化合物が含まれている。
【０００４】
ホウ素は大量に摂取すると人の中枢および末梢神経障害、消化器異常などの毒性が認められていることから、１０ｐｐｍ以下の排出基準が設定されており、低コストで効率よく排水中のホウ素を除去する技術が求められている。
【０００５】
一般的なホウ素除去方法としては、ホウ素含有水にアルミニウム化合物、カルシウム化合物等の凝集剤を用いてホウ素を取り込んだ凝集沈殿物を生成させて分離除去する凝集沈殿法（特許文献１）、逆浸透膜により処理する逆浸透膜法（特許文献２）、ホウ素吸着樹脂を用いたイオン交換法（特許文献３）等がある。
【０００６】
また、吸着材から溶離したホウ素を含む溶離液のホウ素濃度を高めることができ、溶離液を濃縮せずとも効率良くホウ素含有水からホウ素を除去してホウ酸結晶の形態で回収することを可能にする方法（特許文献４）が提案されている。
【０００７】
高分子材料の不織布に官能基としてホウ素を吸着するグルカミン基を導入して作成され帯状に形成された吸着材素材を巻いて柱形状に形成した吸着材モジュールが、当該吸着材モジュールの軸心が前記容器の前記軸心と同軸になるように、容器内に１つ以上嵌入されて構成された吸着材モジュールにホウ素含有水を通水する方法である。
【０００８】
一方、エレクトロニクス分野における純水のろ過や、有機溶剤のろ過においては、不織布をロール状に形成したカートリッジフィルタが知られているが、前述した様なホウ素含有排水の処理には使用されていない。
【先行技術文献】
【特許文献】
【０００９】
【特許文献１】特開２００２−３４６５７４号公報
【特許文献２】特開平９−２９０２７５号公報
【特許文献３】特公平２−３２９５２号公報
【特許文献４】特開２０１３−６３４１４号公報
【特許文献５】特許第４２９７７５１号公報
【特許文献６】特開２００７−３２１２５２号公報
【特許文献７】特開２００４−２９８７３８号公報
【特許文献８】特開２００４−３３７７４９号公報
【発明の概要】
【発明が解決しようとする課題】
【００１０】
しかしながら、上述した従来のホウ素除去方法は、ホウ素除去能は十分とは言えず、以下のような課題があった。
【００１１】
まず、凝集沈殿法では、ホウ素を不溶化させるために多量の薬剤を使用する必要があり、発生する汚泥も多くその処理が困難である。また、凝集沈殿物にはアルミニウム化合物、カルシウム化合物等が大量に含まれているため、ホウ素を回収して再利用することができない。逆浸透膜法では、ホウ素を分離して高濃度に濃縮することが困難である。
【００１２】
更に、ホウ素選択吸着樹脂法では、ホウ素の回収・再利用を考慮した場合には、ホウ素含有水をホウ素選択吸着樹脂に通液させて吸着処理した後に、当該ホウ素選択吸着樹脂からホウ素を溶離させてホウ素選択吸着樹脂を再生するために酸溶液が使用される。このため、溶離液の酸根を処理する必要がある。また、溶離液のホウ素濃度が低いため、冷却晶析法によりホウ酸結晶を得るには濃縮工程が必要となる。
【００１３】
以上のことから、ホウ素を含有する被処理水の処理においては、ホウ素吸着カートリッジフィルタを適用して、簡単な構成、システムで、ホウ素を吸着除去することが望まれていた。
【００１４】
本発明は、上記従来の課題に鑑み成されたものであり、その目的は、多量の薬剤を使用することなく、ホウ素を分離でき、簡単な構成で効率的にホウ素を吸着除去可能とするホウ素吸着カートリッジフィルタおよびホウ素処理方法を提供することにある。
【課題を解決するための手段】
【００１５】
上記課題を解決するために、本発明は以下の構成とすることができる。
（１）ホウ素を吸着するためのグルカミン固定化布が、処理水を通水する集水管にロール状に巻きつけられて形成された円筒状カートリッジフィルタと、前記円筒状カートリッジフィルタを収容するためのカートリッジ収納容器と、を有し、前記カートリッジ収納容器にホウ素を含む被処理水を通水することにより、前記グルカミン固定化布に前記ホウ素を吸着させることを特徴とするホウ素吸着カートリッジフィルタ。
（２）前記カートリッジ収納容器内における前記グルカミン固定化布の充填密度が、０．４ｋｇ／Ｌ以上である。
（３）前記円筒状カートリッジフィルタは、前記カートリッジ収納容器内に直列に複数収容され、該カートリッジ収納容器の両端から交互に前記被処理水を前記カートリッジ収納容器内部に供給し、前記円筒状通水させる。
（４）前記グルカミン固定化布は、Ｎ−メチル−Ｄ−グルカミンで固定された布である。
（５）前記Ｎ−メチル−Ｄ−グルカミンが、１．０〜１．９ｍｅｑ／ｇの量で固定された布である。
（６）前記ホウ素吸着カートリッジフィルタによって吸着除去するホウ素処理方法であって、前記被処理水を生物処理し、前記生物処理後の生物処理水を凝集沈澱処理し、前記凝集沈澱処理後の凝集沈澱処理水をろ過処理し、前記ろ過処理後のろ過処理水から前記ホウ素吸着カートリッジフィルタを使用してホウ素を吸着除去した処理水を得ることを特徴とする請求項１〜５のいずれか１項に記載のホウ素吸着カートリッジフィルタを用いたホウ素処理方法。
（７）（６）において前記ホウ素を吸着除去した処理水を、更に消毒処理する。
【発明の効果】
【００１６】
本発明によれば、ホウ素含有する排水を処理する場合において、上記のホウ素吸着カートリッジフィルタを使用することにより、多量の薬剤を使用することなくホウ素を分離できるとともに、従来よりもホウ素吸着能が向上し、低コストで効率よく排水中のホウ素を低減又は除去することが可能である。
【図面の簡単な説明】
【００１７】
【図１】（ａ）は本発明のホウ素吸着カートリッジフィルタの実施形態を示す断面図、同図（ｂ）は、他の例のホウ素吸着カートリッジフィルタの実施形態を示す断面図、同図（ｃ）は、他の例の円筒状カートリッジフィルタの実施形態を示す断面図である。
【図２】円筒状カートリッジフィルタの内部構造を示した一部を切り欠いた図である。
【図３】放射線グラフと重合を説明するための模式図である。
【図４】被処理水の処理順序の一例を示すフローである。
【発明を実施するための形態】
【００１８】
以下、図面を参照して本発明を説明する。図１（ａ）は、本発明のホウ素吸着カートリッジフィルタの実施形態を示す断面図、図１（ｂ）は他の例の断面図、図１（ｃ）は他の例の１つの円筒状カートリッジフィルタの断面図である。図示されているように、ホウ素吸着カートリッジフィルタ１０は、被処理水中のホウ素を吸着するための２つ円筒状カートリッジフィルタ１２−１、１２−２が筒状のカートリッジ収納容器１４に収容されていることを主な構成としている。図２は、円筒状カートリッジフィルタ１２−１、１２−２の内部構造を示した一部を切り欠いた図である。
【００１９】
円筒状カートリッジフィルタ１２−１、１２−２は、グルカミン固定化布２０が集水管１６を中心としてロール状に巻きつけられて形成されている。集水管１６の管壁は透水性を有し、処理水が集水管１６の外部から集水管１６の内部に流入できるように例えば有孔管のようなもので構成されている。そして、この円筒状カートリッジフィルタ１２−１の最外側部は、保護用として網目状樹脂シート２３が巻回されており、更にその両端にエンドキャップ２１で固定されている。これにより、円筒状カートリッジフィルタ１２−１の網目状樹脂シート２３の最外側部から被処理水がグルカミン固定化布２０に浸透して行き、中心にある有孔管の集水管１６から外部へ排出される。
【００２０】
カートリッジ収納容器１４の長さ方向両端部１４ａ、１４ｂには、それぞれ、被処理水供給管１８−１、１８−２が設けられている。図示矢印１００又は２００の被処理水供給管１８−１または１８−２を通ってカートリッジ収納容器１４内部に供給された被処理水は、円筒状カートリッジフィルタ１２−１、１２−２を通過して集水管１６の内部に流入し、集水管１６内を流れてカートリッジ収納容器１４の外部へ図示矢印３００または４００方向に流出する。
【００２１】
集水管１６は、その軸がカートリッジ収納容器１４の軸と同軸となるように配置されており、集水管１６の各端部１６ａ、１６ｂはいずれともカートリッジ収納容器１４の外部に位置している。上述したように、集水管１６は透水性を有するものであり、例えば、管の壁部が格子状として形成された管や、管の壁部に複数の孔部が形成された管を使用することができる。
【００２２】
集水管は図１（ｂ）に示される構成としてもよい。すなわち、円筒状カートリッジフィルタ１２−１の内部には有孔管１９を配置し、それ以外の部分には無孔管１７を配置する構成としてもよい。厳密には、有孔管１９の長さは円筒状カートリッジフィルタ１２−１の幅より若干短い長さを有している。有孔管１９と無孔管１７との接続は特に限定されず、有孔管１９内に無孔管１７を差し込む手法などが挙げられる。このように構成することにより、円筒状カートリッジフィルタ１２−１、１２−２を介して有孔管１９に流入した処理水は、円筒状カートリッジフィルタ１２−１と１２−２との間等で外部に漏れ出すことがないため、ホウ素処理の効率化が図られる。
【００２３】
また、図１（ｃ）に示されるように、円筒状カートリッジフィルタ１２−１の両端には、図２も示されているように、取外し可能なエンドキャップ２１が設けられる。エンドキャップ２１は非透水性の材質のものであり、これを配置することにより、円筒状カートリッジフィルタ１２−１に流入した被処理水が有孔管１９に流入するまでに外部に漏れ出ることを阻止することができる。
【００２４】
図１（ａ）に示される実施の形態では、２つの円筒状カートリッジフィルタ１２がカートリッジ収納容器１４内に設けられている例を示しているが、円筒状カートリッジフィルタの数は２つに限られず、１つであってもよいし、３つ以上、例えば、３〜１０個であってもよく、複数個直列接続して、所望とする処理性能や設置箇所の広さなどに応じて適宜設定される。
【００２５】
ホウ素吸着カートリッジフィルタ１０とこれを構成する部材例えば、円筒状カートリッジフィルタ１２−１、１２−２、カートリッジ収納容器１４、集水管１６などのサイズは、特に限定されないが、交換作業を効率的に進めるために、人が持ち運びすることができるサイズとすることが好ましい。例えば、カートリッジ収納容器１４の軸方向長さは、４００〜８００ｍｍであり、直径は、１００〜３００ｍｍである。カートリッジ収納容器１４の大きさに応じて円筒状カートリッジフィルタ１２−１、１２−２のサイズも適宜決定される。
【００２６】
また、本発明では、円筒状カートリッジフィルタ１２−１、１２−２を構成するグルカミン固定化布のカートリッジ収納容器１４内における充填密度が０．４ｋｇ／Ｌ以上であることが好ましい。充填密度が０．４ｋｇ／Ｌ以上であれば、より効率的に被処理水を通水させてホウ素を吸着することが可能である。
【００２７】
このように構成されたホウ素吸着カートリッジフィルタ１０では、まず、図示矢印１００の方向の一方の被処理水供給管、例えば、１８−１からカートリッジ収納容器１４内に被処理水を供給する。この際、図示矢印２００の方向の他方の被処理水供給管１８−２からの被処理水の供給は行われていない状態である。被処理水供給管１８−１を介して供給された被処理水は円筒状カートリッジフィルタ１２−１、１２−２を通って集水管１６内部に流入する。被処理水に含まれるホウ素は、円筒状カートリッジフィルタ１２−１、１２−２を通過する際に円筒状カートリッジフィルタ１２−１、１２−２のグルカミンと結合することによって捕捉される。集水管１６内部に流入した処理水は、集水管１６の一方の端部１６ｂに向かって矢印３００方向に流れ、ホウ素吸着カートリッジフィルタ１０の外部へ流出する。
【００２８】
上記の処理を所定時間行った後、今度は他方の被処理水供給管１８−２からカートリッジ収納容器１４内に被処理水を供給する。この際には、被処理水供給管１８−１からの被処理水の供給は行われていない状態である。供給された被処理水は円筒状カートリッジフィルタ１２−１、１２−２を通って集水管１６内部に流入する。円筒状カートリッジフィルタ１２−１、１２−２を通過する際に被処理水に含まれるホウ素が円筒状カートリッジフィルタ１２−１、１２−２によって捕捉される。集水管１６内部に流入した処理水は、集水管１６の他方の端部１６ａに向かって流れ、ホウ素吸着カートリッジフィルタ１０の外部へ流出する。
【００２９】
上記のように、各被処理水供給管１８−１、１８−２から交互に被処理水を供給してホウ素処理を行うことで、円筒状カートリッジフィルタ１２−１、１２−２のホウ素除去性能を無駄なく可能な限り利用することが可能となる。すなわち、被処理水の流れの方向を変えることで、被処理水が円筒状カートリッジフィルタ１２−１、１２−２の一部分にのみ集中して流れることなく、円筒状カートリッジフィルタ１２−１、１２−２の全体にわたって通水されることで、円筒状カートリッジフィルタ１２−１、１２−２のホウ素除去性能をより高い程度で利用することが可能となる。
【００３０】
そして、上記のように、被処理水を反対方向に交互に供給して処理する構成を有することから、ホウ素吸着カートリッジフィルタ１０は、その長さ方向が水平方向と一致するように水平に設置して使用されることが被処理水を効率的に通水させることができる点で有利である。
【００３１】
次に、円筒状カートリッジフィルタ１２−１、１２−２について詳細に説明する。図２に示す様に円筒状カートリッジフィルタ１２−１、１２−２は、ホウ素を吸着するためのグルカミン固定化布を巻回することにより形成される。なお、上述したように、図１に示したカートリッジ収納容器１４内におけるグルカミン固定化布の充填密度が０．４ｋｇ／Ｌ以上となるように、グルカミン固定布を巻き付けて円筒状カートリッジフィルタ１２−１、１２−２を構成することが好ましい。
【００３２】
グルカミン固定化布としては、グルカミン、特にＮ−メチル−Ｄ−グルカミンを有する不織布や織布を使用することが好ましい。グルカミン固定化布は、例えば、放射線（電子線）照射によりメタクリル酸グリシジルを布にグラフト重合した後、更にＮ−メチル−Ｄ−グルカミンを反応させることにより形成することができる。Ｎ−メチル−Ｄ−グルカミンが１．０〜１．９ｍｅｑ／ｇの量で固定化されているグルカミン固定化布が好ましい。この範囲であればホウ素吸着効率が更に向上する。
【００３３】
グルカミン固定化布の基材となる不織布や織布としては、有機高分子から形成された不織布や織布を使用することが好ましい。有機高分子から形成された不織布や織布としては、有機高分子複合基材を使用することが好ましい。上記の有機高分子複合基材としては、芯成分としてポリエチレンテレフタレートなどのポリエステル、鞘成分としてポリエチレンなどのポリオレフィンを用いた芯鞘複合繊維材料を用いることができる。
【００３４】
芯鞘複合材料としては、単芯／単鞘のもののみならず、多芯構造の材料も使用することができる。更に、本発明は、芯鞘複合繊維材料の形態以外の、複数種の材料で形成される任意の形態、例えば複数の異なる単繊維から構成される複合繊維の有機高分子複合材料に適用することができる。
【００３５】
基材の引っ張り強度や伸度などの物理的特性を維持するための材料としては、上述のポリエチレンテレフタレートなどのポリエステル、ポリスチレンなどの芳香族ポリマーなどのようなラジカル生成密度が小さく、保存性が小さい高分子材料を挙げることができ、一方、グラフトによって機能性官能基を導入するための材料としては、上述のポリエチレンなどのポリオレフィンなどのようなラジカル生成密度が大きく、保存性が高い高分子材料を挙げることができる。
【００３６】
本発明において用いることのできるこのような複数の繊維材料の組合せとしては、例えば、ポリエチレン（ＰＥ）／ポリエチレンテレフタレート（ＰＥＴ）、ＰＥ／ポリブチレンテレフタレート（ＰＢＴ）、ポリプロピレン（ＰＰ）／ＰＥＴ、ＰＰ／ＰＢＴ、ＰＥ／ポリスチレン（ＰＳｔ）、ＰＰ／ＰＳｔなどの組合せを挙げることができる。
【００３７】
例えば、ポリエチレン（ＰＥ）鞘／ポリエチレンテレフタレート（ＰＥＴ）芯の芯鞘複合繊維からなる不織布を基材として用いた場合、ＰＥＴのラジカル生成密度及び保存性が小さいため、放射線照射後に酸素のようなラジカル消失剤と接触させるとラジカルの消失が速やかに起こり、後段のグラフト反応でのグラフト率を小さく抑えることができる。これにより、ＰＥＴ本来の引っ張り強度と伸度を維持することができる。
【００３８】
一方、ポリエチレン（ＰＥ）鞘は、放射線照射後に酸素のようなラジカル消失剤と接触させると、非晶質の部分のラジカルは瞬時に消失するが、結晶部に生成したラジカルは徐々に結晶内を移動して結晶−非結晶の界面に移動し、ここでラジカル消失剤と接触して消失する。
【００３９】
このため、ＰＥ鞘部では、照射後、グラフト重合前に数十分間空気に曝露しても高いグラフト率が得られる。
【００４０】
このようにして、基材全体のグラフト率（重量増加率）が１５０％という大きなグラフト率を目標とする場合には、鞘のＰＥ部分においては３００％以上という非常に高いグラフト率を得ると同時に、芯材のＰＥＴについてはほとんどグラフト重合させないように、グラフト反応を行うことができる。このため、グラフト処理材料の物理的強度が維持される。
【００４１】
放射線グラフト重合は、有機高分子基材に放射線を照射してラジカルを生成させ、それにグラフトモノマーを反応させることによって、所望のグラフト重合体側鎖を基材に導入することのできる方法である。
【００４２】
図３は、放射線グラフト重合の模式図である。まず、（ａ）に示すように放射線を基材３０に照射する。基材３０に放射線が照射されると、（ｂ）に示すように基材３０の表面にラジカル３１が発生する。ラジカル３１が発生した後、（ｃ）に示すようにラジカル３１に反応するモノマー３２を基材に添加すると、基材３０とモノマー３２が結合する。さらに、（ｄ）に示すように、そのモノマー３２と反応する化合物３３を添加すると、モノマー３２に化合物３３が結合し、重合してグラフト鎖３４を形成する。本発明ではその化合物３３としてホウ素を吸着する化合物を使用する。放射線グラフト重合についての詳細はＩｓｏｔｏｐｅ  Ｎｅｗｓ  ２０１６年  ３月号  ＮＯ．７４３に記載されている。以下、放射線グラフト重合について詳細を説明する。
【００４３】
放射線グラフト重合法において用いることのできる放射線としては、α線、β線、γ線、電子線、紫外線などを挙げることができる。
【００４４】
γ線は、線量率が１０ｋＧｙ／ｈ程度であるため、放射線グラフト重合に利用するには数時間の照射を行う必要があり、後段のグラフト重合部との連続化には適していないと共に、特別な管理が必要であり、放射線管理区域内で使用することが義務づけられているので適用が制限される。
【００４５】
これに対して、電子線は、１０ｋＧｙ／ｓｅｃ程度の線量率のため、放射線グラフト重合には５〜３０秒程度の照射でよく、更に放射線遮蔽が容易であるので、容易に利用することができる。よって、本発明において用いるのには電子線が適している。
【００４６】
放射線グラフト重合法には、モノマーと基材との接触方法により、モノマー溶液に基材を浸漬させたまま重合を行う液相グラフト重合法、モノマーの蒸気に基材を接触させて重合を行う気相グラフト重合法、基材をモノマー溶液に浸漬した後、モノマー溶液から取り出して気相中で反応を行わせる含浸気相グラフト重合法が挙げられるが、いずれの方法も本発明において用いることができる。
【００４７】
上述したように、織布／不織布などの繊維材料は本発明方法において有機高分子複合基材として用いるのに適した形態であるが、これはモノマー溶液を保持し易いので、含浸気相グラフト重合法において用いるのに適している。
【００４８】
本発明において、放射線グラフト重合法として液相グラフト重合を用いる場合には、有機高分子複合基材に不活性雰囲気中で放射線照射と、不活性雰囲気中で照射済みの基材をグラフトモノマー液中に配置してグラフト重合反応を行わせるグラフト重合との間に、照射済みの基材をラジカル消去剤に接触させるか及び／又は加温するラジカル調整工程を設ければよい。
【００４９】
ここで、ラジカル消去剤への接触は、例えば、照射済みの基材を、不活性ガス雰囲気に空気を導入した雰囲気又は空気雰囲気に曝露することによって行うことができる。
【００５０】
また、本発明において、放射線グラフト重合法として含浸気相グラフト重合を用いる場合には、有機高分子基材に不活性雰囲気中で放射線を照射し、不活性ガス雰囲気中に空気を導入した雰囲気又は空気雰囲気中で加温しながら照射済みの基材に所定量のグラフトモノマー液を含浸させ、グラフトモノマー液を含浸させた基材を不活性雰囲気中でグラフト重合反応させることができる。
【００５１】
特に、含浸気相グラフト重合を用いる場合には、モノマー含浸槽において、前段の放射線照射を行った不活性ガス雰囲気に空気を吹き込み、この雰囲気中でモノマー含浸槽内に基材を浸漬させるだけでよい。
【００５２】
更に、この際にモノマー含浸槽での雰囲気中の酸素濃度が低いと、基材の高分子からモノマー液中にラジカルが移動し、これがモノマー同士の重合を促進するため、長尺材料のグラフト重合開始時点と終了時点でモノマー液の粘度が変化して、モノマー液の付与量が制御しづらくなる。
【００５３】
一方、モノマー含浸槽での雰囲気中に十分な酸素が存在すると、モノマー浸漬槽内でのモノマーの重合、即ち、ホモポリマーの生成を抑えることができるので、好ましい。
【００５４】
本発明においては、放射線グラフト重合法として、放射線照射工程とグラフト重合工程を分離する所謂前照射グラフト重合法を採用する。本発明方法においては、放射線照射工程において、放射線と空気との反応による窒素酸化物（ＮＯｘ等）の発生を抑制すること、及び発生するラジカル種をアルキルラジカル種に維持するために、雰囲気中の酸素濃度を１０００ｐｐｍ以下に維持することが好ましい。放射線照射工程においてこの濃度以上の酸素が存在すると、得られるグラフト重合物の化学的安定性の点で問題が生じる場合がある。
【００５５】
また、グラフト重合工程においても、雰囲気中の酸素濃度は重要なファクターであり、酸素濃度が高い雰囲気中では、グラフト鎖の成長鎖末端に移動したラジカルが酸素と反応して消失しやすくなり、十分なグラフト率が得られなくなる。よって、グラフト重合工程においても、酸素濃度を１０００ｐｐｍ以下、より好ましくは１００ｐｐｍ以下にすることが好ましい。
【００５６】
酸素濃度を調整するには、放射線照射工程、ラジカル調整工程又は空気曝露工程、グラフト重合工程を、それぞれ装置上で分離し、放射線照射工程及びグラフト重合工程では、窒素や希ガス等の不活性ガスによるパージを行うか、或いは低気圧雰囲気にすれば、上述の酸素濃度１０００ｐｐｍ以下を達成することができる。本発明においては、このような雰囲気を「不活性雰囲気」と言う。
【００５７】
本発明によって基材にグラフト重合することのできるグラフトモノマーとしては、放射線グラフト重合法において通常用いられている任意のモノマーを用いることができる。
例えば、イオン交換基や親水基などの官能基を有する重合性モノマーをグラフトモノマーとして用いて本発明の放射線グラフト重合を行うことにより、有機高分子複合基材の主鎖上に、これらの官能基を有するグラフト重合体側鎖を有する有機高分子材料を形成することができる。
【００５８】
この目的で用いることのできるグラフトモノマーとしては、本発明の場合、例えば、メタクリル酸グリシジルなどのエポキシ基及びエチレン性不飽和二重結合を有する化合物を好ましく使用することができる。エチレン性不飽和二重結合は上記の基材となる布の繊維と反応して結合し、エポキシ基は、次の反応で用いられるホウ素吸着のための化合物、例えば、Ｎ−メチル−Ｄ−グルカミンと反応して結合する。これにより、Ｎ−メチル−Ｄ−グルカミンが布に固定されたグルカミン固定化布が形成される。このように形成されたグルカミン固定化布が巻かれて形成された円筒状カートリッジフィルタは、従来使用されていた粒子形態のホウ素吸着剤等と比較して、ホウ素吸着性能に優れている。
【００５９】
次に、ホウ素を含む排水の処理において、本発明のホウ素吸着カートリッジフィルタを使用してホウ素処理行うタイミングについて説明する。図４は、被処理水の処理順序の一例を示すフローである。
【００６０】
図４（ａ）のフローでは、まず調整槽に貯留された被処理水を、生物処理、凝集沈殿処理及びろ過処理の順で処理した後、ろ過処理水を本発明のホウ素除去処理に供する。ホウ素が除去された処理水は、必要に応じて消毒処理を経て、放流される。ホウ素除去処理以外の処理、すなわち、生物処理、凝集沈殿処理及びろ過処理は、従来から行われている方法で行うことができ、特に限定されない。
【００６１】
図４（ｂ）のフローでは、図４（ａ）のフローのろ過処理とホウ素除去処理との間に活性炭処理を行う例を示している。活性炭処理は従来から行われている方法で行うことができ、特に限定されない。
【００６２】
図４（ｃ）のフローでは、図４（ｂ）のフローの生物処理と凝集沈殿処理との間に更に凝集沈殿処理（第１凝集沈殿処理）を行う例を示している。第１凝集沈殿処理は従来から行われている方法で行うことができ、特に限定されない。
【００６３】
図４（ｄ）のフローでは、図４（ｃ）のフローの活性炭処理とホウ素除去処理との間に更に脱塩処理を行う例を示している。脱塩処理は従来から行われている方法で行うことができ、特に限定されない。
【００６４】
上述した処理フローは例示であり、説明した処理の１つ以上が存在しなくてもよいし、更に別の１つ以上の処理を加えてもよい。
【００６５】
以上説明した本発明によれば、ホウ素含有する排水を処理する場合において、上記のホウ素吸着カートリッジフィルタを使用することにより、従来よりもホウ素吸着能が向上し、低コストで効率よく排水中のホウ素を低減又は除去することが可能である。
【実施例】
【００６６】
１．本発明のグルカミン固定化不織布の作製
通常の方法に従って、不織布（ポリプロピレン）に電子線を照射し、メタクリル酸グリシジルを反応させてグラフト重合させた後、Ｎ−メチル−Ｄ−グルカミンと反応させることによりグルカミン固定化布を得た。比較用としてホウ素吸着用キレート樹脂（ミヨシ油脂株式会社製製）を使用した。
【００６７】
２．総吸着量及び通水吸着量の測定
上記で作製したグルカミン固定化不織布及び比較用として市販のキレート樹脂（ミヨシ油脂株式会社製）にホウ素を含む被処理水を通し、総吸着量及び通水吸着量を測定した。総吸着量はシート状不織布またはキレート樹脂が本来有するホウ素吸着量の性能を有し、ホウ素を含む被処理水を実際に通水した場合のホウ素吸着量である。総吸着量及び通水吸着量は、ＩＣＰ（発光分光分析法）によって測定した。
【００６８】
３．結果
本発明のグルカミン固定化不織布の総吸着量は７．３２６ｇ−Ｂ／ｍ２であり、通水吸着量は３．２２ｇ−Ｂ／ｍ２であり、吸着剤使用率（通水吸着量／総吸着量）は４４％であった一方で、キレート樹脂の総吸着量は９．３６ｇ−Ｂ／ｍ２であり、通水吸着量は３．２８ｇ−Ｂ／ｍ２であり、吸着剤使用率は３５％であった。したがって、本発明に使用されるグルカミン固定化不織布は、従来のキレート樹脂を使用したホウ素処理と比較して、効率よくホウ素吸着処理を行うことができることが認められた。
【符号の説明】
【００６９】
１０  ホウ素吸着カートリッジフィルタ
１２−１、１２−２  円筒状カートリッジフィルタ
１４  カートリッジ収納容器
１６  集水管（有孔管、無孔管）
１８−１、１８−２  被処理水供給管
２０  グルカミン固定化布
【図１】
2020104050.tif 000003
【図２】
2020104050.tif 000004
【図３】
2020104050.tif 000005
【図４】
2020104050.tif 000006